(57)【要約】【課題】起振アクチュエータの発生した振動が装着した使用者の歯列に加わることで、歯列矯正を促進する歯列矯正マウスピースにおいて、矯正効果をより一層高める。【解決手段】使用者の歯型１に適応した形状の内外二重のピースを組合わせ、外側のピースにおいて、矯正対象歯３ｇ，３ｈの部分に膨らみ部７ａを形成し、その膨らみ部７ａ内に小型・軽量の起振アクチュエータ８を格納して成るマウスピース７において、前記起振アクチュエータ８を格納する収納空間７ｂを前記起振アクチュエータ８よりも大きく形成し、収納しても空隙が生じるようにする。これによって、起振アクチュエータ８が生成する振動荷重に、その起振アクチュエータ８自身が動き、前記収納空間７ｂを形成する壁面と衝突する際に発生する衝突荷重が加わり、マウスピース７を装着した使用者の歯列３により大きな振動を加えることができる。【選択図】図１
2008126009.tif 000002
【特許請求の範囲】
【請求項１】
起振手段を有し、その起振手段が発生した振動が装着した使用者の歯列に加わることで、歯列矯正を促進できるようにする歯列矯正マウスピースであって、
前記起振手段と、その収納空間との間に、前記起振手段に遊びを生じさせる空隙を有することを特徴とする歯列矯正マウスピース。
【請求項２】
前記収納空間における前記空隙は、矯正対象歯の矯正方向に適応した方向に延びて形成されることを特徴とする請求項１記載の歯列矯正マウスピース。
【請求項３】
起振手段を有し、その起振手段が発生した振動が装着した使用者の歯列に加わることで、歯列矯正を促進できるようにする歯列矯正マウスピースの製造方法であって、
前記使用者の歯型上に熱軟化性を有するシート体を加熱して搭載するとともに、軟化したシート体を気流によって前記歯型上に密着させて内側ピースを作成する工程と、
前記起振手段よりも大きなダミーを前記内側ピース上に搭載する工程と、
前記ダミーを搭載した歯型を成形する工程と、
前記ダミー型上に熱軟化性を有するシート体を加熱して搭載するとともに、軟化したシート体を気流によって前記ダミー型上に密着させて、前記ダミーに対応した収納空間を有する外側ピースを作成する工程と、
前記起振手段を前記内側ピース上に搭載した後、前記外側ピースに嵌め込み、前記起振手段を前記収納空間に内包して、前記内側ピースと外側ピースとを一体化する工程とを含むことを特徴とする歯列矯正マウスピースの製造方法。
【発明の詳細な説明】
【技術分野】
【０００１】
本発明は、歯列矯正マウスピースおよびその製造方法に関する。
【背景技術】
【０００２】
従来からの歯列矯正の手法としては、ワイヤーが用いられており、そのワイヤーの戻り力で歯列に一定力（静荷重）を付与することで、歯並びや咬み合わせを治すようになっている。すなわち、歯列に一定力を付与すると、歯茎の中で歯を支えている歯槽骨が徐々に変形することで、歯列矯正ができるという原理に基づくものである。
【０００３】
しかしながら、そのような手法では、早くて６箇月、通常は数年と、期間が非常に長くかかることから、特に歯列矯正の適齢である子供にとっては苦痛であって、長続きしないことも多い。そこで、非特許文献１には、歯列に一定力を加えたサンプルと、歯列に振動力を加えたサンプルとを比較し、振動力を加えたサンプルの方が矯正期間の短縮に効果があるという研究がなされている。同様に、非特許文献２には、歯列に一定力を加えただけのサンプルと、歯列に一定力＋振動力を加えたサンプルとを比較し、一定力＋振動力を加えたサンプルの方が矯正期間の短縮に効果があるという研究もなされている。
【０００４】
これらの研究によれば、歯列矯正の期間が約１／２〜１／３に大幅に短縮されることになっている。さらにそれのみではなく、振動力を付与するのは、非特許文献１では１日に１．５時間だけあり、非特許文献２では２週間に1回で２分間だけである。すなわち、非特許文献１では１日に１．５時間だけ治療を継続すればよく、非特許文献２では２週間に1回で２分間だけ治療を継続すればよいことになる。これらの研究から、歯列にワイヤー等で一定力を付与するだけよりも、振動力を付与する方が歯列矯正の期間の大幅な短縮に効果があることを理解できる。
【０００５】
そこで、これらの研究の実用化を試みたものとして、特許文献１では、矯正対象歯の移動を促すマウスピースの装着部位の周囲組織に超音波振動を付与する装置が、特許文献２では、矯正対象歯に超音波振動を付与する装置が提案されている。
【０００６】
しかしながら、特許文献１，２の技術では、超音波供給ヘッドを、たとえば頬の肌面に押し当てて、外部から超音波振動を付与する構成であり、正確に矯正対象歯だけに超音波振動を付与することが困難であるという問題があった。また、超音波発生装置を必要とするので、この装置を備えた歯科医院に出向かないと治療を継続できないという問題があった。
【０００７】
このため、本件出願人は、正確に矯正対象歯だけに振動を付与することができるとともに、歯科医院に出向かなくても簡単かつ安全に治療が継続できる歯列矯正装置を先に提案した。かかる歯列矯正装置は、歯列に装着するマウスピースを備え、このマウスピースは、内側ピースと外側ピースとを重ね合わせた構造であり、その重ね合わせ部分で矯正対象歯の部分に、偏心錘を有するモータなどのように、起振手段となり、機械的振動を生成する起振アクチュエータを格納しているものである。
【０００８】
この歯列矯正装置によれば、マウスピースから矯正対象歯の部分に、正確に機械的振動（機械的刺激）を与えることができ、高い効果を得ることができる。また、マウスピースに起振アクチュエータを格納しているから、歯科医院に出向かなくても、たとえば家庭で、任意の時間に簡単かつ安全に治療が継続できるようになる。さらに、起振アクチュエータの機械的振動は、二重マウスピースの重ね合わせ部分を介して矯正対象歯の部分に伝達されるから、機械的振動が矯正対象歯に直接伝達されることに起因する歯の痛みを和らげることができる。
【非特許文献１】清水：日矯歯誌４５：５６−７２，１９８６
【非特許文献２】大前他：日本矯正歯科学会雑誌，６０（４）：２０１，２００１
【特許文献１】特開２００２−１０２２５５号公報
【特許文献２】特開２００４−２０１８９５号公報
【発明の開示】
【発明が解決しようとする課題】
【０００９】
しかしながら、小さな起振アクチュエータで、なかなか十分な刺激を付与することができないという問題がある。
【００１０】
本発明の目的は、より大きな振動を付与することができる歯列矯正マウスピースおよびその製造方法を提供することである。
【課題を解決するための手段】
【００１１】
本発明の歯列矯正マウスピースは、起振手段を有し、その起振手段が発生した振動が装着した使用者の歯列に加わることで、歯列矯正を促進できるようにする歯列矯正マウスピースであって、前記起振手段と、その収納空間との間に、前記起振手段に遊びを生じさせる空隙を有することを特徴とする。
【００１２】
上記の構成によれば、使用者の歯列に装着するマウスピース内に起振手段を有し、その起振手段が発生した振動が装着した歯列に加わることで、歯列矯正を促進できるようにする歯列矯正マウスピースであって、前記起振手段は、内側のピースと外側のピースとの間に形成された収納空間内に封止されることになるが、その収納空間が前記起振手段よりも大きく形成されて、該収納空間内に前記起振手段を収納しても、空隙が生じるようにする。
【００１３】
したがって、前記起振手段は収納空間内で完全に固定されず、可動となり、振動に伴い、収納空間内で遊びを生じることになる。これによって、起振手段が生成する振動荷重に、その起振手段自身が動き、前記収納空間を形成する壁面と衝突する際に発生する衝突荷重が加わり、マウスピースを装着した使用者の歯列に、より大きな振動を付与することができ、小型・軽量（で生成荷重の小さ）なアクチュエータでも、矯正効果を促進する十分な刺激を付与することができる。
【００１４】
また、本発明の歯列矯正マウスピースでは、前記収納空間における前記空隙は、矯正対象歯の矯正方向に適応した方向に延びて形成されることを特徴とする。
【００１５】
上記の構成によれば、前記収納空間における前記空隙の方向、すなわち起振手段の遊びの方向を、矯正対象歯の矯正方向に適応した方向に規定する。具体的には、手前に出ている歯を奥に引っ込める場合、および奥に引っ込んでいる歯を手前に引出す場合には、歯面に垂直な方向に空隙の方向を設定し、捻れている歯を整列させる場合には、歯の軸線回りに空隙の方向を設定する等である。
【００１６】
したがって、前記起振手段として、価格や、大きさといった面で指向性のある荷重を生成するものを内蔵できない場合においても、安価で小型な回転モータや振動モータなどで指向性のある荷重を歯列に付与することが可能となる。
【００１７】
さらにまた、本発明の歯列矯正マウスピースの製造方法は、起振手段を有し、その起振手段が発生した振動が装着した使用者の歯列に加わることで、歯列矯正を促進できるようにする歯列矯正マウスピースの製造方法であって、前記使用者の歯型上に熱軟化性を有するシート体を加熱して搭載するとともに、軟化したシート体を気流によって前記歯型上に密着させて内側ピースを作成する工程と、前記起振手段よりも大きなダミーを前記内側ピース上に搭載する工程と、前記ダミーを搭載した歯型を成形する工程と、前記ダミー型上に熱軟化性を有するシート体を加熱して搭載するとともに、軟化したシート体を気流によって前記ダミー型上に密着させて、前記ダミーに対応した収納空間を有する外側ピースを作成する工程と、前記起振手段を前記内側ピース上に搭載した後、前記外側ピースに嵌め込み、前記起振手段を前記収納空間に内包して、前記内側ピースと外側ピースとを一体化する工程とを含むことを特徴とする。
【００１８】
上記の構成によれば、前記のような起振手段とその収納空間との間に空隙を有する歯列矯正マウスピースを作製することができる。
【発明の効果】
【００１９】
本発明の歯列矯正マウスピースは、以上のように、使用者の歯列に装着するマウスピース内に起振手段を有し、その起振手段が発生した振動が装着した歯列に加わることで、歯列矯正を促進できるようにする歯列矯正マウスピースであって、前記起振手段を内側のピースと外側のピースとの間に形成された収納空間内に封止するにあたって、その収納空間を前記起振手段よりも大きく形成し、該収納空間内に前記起振手段を収納しても、空隙が生じるようにする。
【００２０】
それゆえ、前記起振手段は収納空間内で完全に固定されず、可動となり、振動に伴い、収納空間内で遊びを生じることになる。これによって、起振手段が生成する振動荷重に、その起振手段自身が動き、前記収納空間を形成する壁面と衝突する際に発生する衝突荷重が加わり、マウスピースを装着した使用者の歯列に、より大きな振動を付与することができ、小型・軽量（で生成荷重の小さ）なアクチュエータでも、矯正効果を促進する十分な刺激を付与することができる。
【００２１】
また、本発明の歯列矯正マウスピースは、以上のように、前記収納空間における前記空隙の方向、すなわち起振手段の遊びの方向を、矯正対象歯の矯正方向に適応した方向に規定する。
【００２２】
それゆえ、前記起振手段として、価格や、大きさといった面で指向性のある荷重を生成するものを内蔵できない場合においても、安価で小型な回転モータや振動モータなどで指向性のある荷重を歯列に付与することが可能となる。
【００２３】
さらにまた、本発明の歯列矯正マウスピースの製造方法は、以上のように、起振手段を有し、その起振手段が発生した振動が装着した使用者の歯列に加わることで、歯列矯正を促進できるようにする歯列矯正マウスピースを製造するにあたって、前記使用者の歯型上に熱軟化性を有するシート体を加熱して搭載するとともに、軟化したシート体を気流によって前記歯型上に密着させて内側ピースを作成する工程と、前記起振手段よりも大きなダミーを前記内側ピース上に搭載する工程と、前記ダミーを搭載した歯型を成形する工程と、前記ダミー型上に熱軟化性を有するシート体を加熱して搭載するとともに、軟化したシート体を気流によって前記ダミー型上に密着させて、前記ダミーに対応した収納空間を有する外側ピースを作成する工程と、前記起振手段を前記内側ピース上に搭載した後、前記外側ピースに嵌め込み、前記起振手段を前記収納空間に内包して、前記内側ピースと外側ピースとを一体化する工程とを含む。
【００２４】
それゆえ、前記のような起振手段とその収納空間との間に空隙を有する歯列矯正マウスピースを作製することができる。
【発明を実施するための最良の形態】
【００２５】
［実施の形態１］
図１は、本発明の実施の一形態に係るマウスピース７を使用者の下顎に装着した状態を示す斜視図であり、図２は、その使用者の下顎の歯型１の斜視図であり、図３は図１の切断面線III−IIIから見た断面図である。図２の例では、歯列３の各歯３ａ〜３ｎの内、奥歯３ａ，３ｎを除いた歯３ｂ〜３ｍの外面部には、ブラケット（ワイヤー係止用金具）４がそれぞれ固定され、各ブラケット４に跨って一連にワイヤー５を係止している。そして、ワイヤー５の戻り力で歯列３に一定力（静荷重）を付与することで、これらの矯正具で歯並びや咬み合わせを矯正するようになっている。なお、ブラケット４を固定する歯やワイヤー５を係止するブラケット４は、図２に例示したものに限られるものではない。
【００２６】
本実施形態のマウスピース７は、図１のように、前記のワイヤー５を取り付けた歯列３に装着するものである。このマウスピース７は、図４で示すように、歯列３に直接接触する内側ピース７Ａと、内側ピース７Ａの外側に被せられる外側ピース７Ｂと、それらの間に気密（水分が侵入しない水密の程度であればよい）に封止され、矯正対象歯（図１の例では３ｇ，３ｈ）の部分に設けられ、起振手段である起振アクチュエータ８とを備えて構成される。
【００２７】
前記内側ピース７Ａおよび外側ピース７Ｂの材料としては、マウスピース（またはマウスガード）の材料として広く用いられ、衛生面の安全性が保証された材料が用いられ、たとえば高分子材料であるＥＶＡ（エチレン酢酸ビニル樹脂）シートを後述するようにして成形すると、歯や歯肉へのアレルギー等の影響を抑えることができるので好ましい。前記内側ピース７Ａおよび外側ピース７Ｂの材料としては、前記のＥＶＡシートに限られるものではないが、ＥＶＡシートは電気的絶縁性が確保され、断熱材としも機能するためにより好ましい。特に内側ピース７ＡにＥＶＡシートを用いると、内側ピース７Ａに軟質性を持たせることができ、これによって、後述する起振アクチュエータ８から矯正対象歯３ｇ，３ｈの部分に伝わる機械的振動の高速成分に対して緩和作用が働くので、矯正対象歯３ｇ，３ｈの部分の損傷を未然に防止することが可能となる。
【００２８】
前記外側ピース７Ｂの矯正対象歯３ｇ，３ｈの部分には、図３のように、起振アクチュエータ８に対応した膨らみ部７ａが形成されて、この膨らみ部７ａ内に小型・軽量の起振アクチュエータ８が横向きに（振動方向が歯列３に対して略直角方向となるように）格納されている。この起振アクチュエータ８は、モータの回転軸に取付けた偏心錘で機械的振動を生成する構造であり、携帯電話のバイブレータ等として汎用されているものである。
【００２９】
前記偏心錘は、膨らみ部７ａの収納空間７ｂの内面等に直接接触すると、振動が制止され易いことから、金属製や、ラバーゴムのような高分子材料製の筐体内に、振動力が制止されない状態で予め収納したものが前記起振アクチュエータ８となり、前記収納空間７ｂ内に格納されることが好ましい。前記起振アクチュエータ８への給電線９は、外側ピース７Ｂの膨らみ部７ａに形成された貫通穴（具体的に図示せず）から気密に外部に引出されて、さらに唇の間から口外に引出される。前記起振アクチュエータ８におけるモータが直流（ＤＣ）モータである場合には、電池（バッテリー）からの電力を、スイッチおよび可変抵抗を介して供給することで、振動の強度および周期を調整することができる。前記起振アクチュエータ８の回転数、すなわち振動周波数（振動数）は、数Ｈｚ〜数１００Ｈｚ程度が好ましい。なお、起振アクチュエータ８は、交流（ＡＣ）モータとすることもできる。この起振アクチュエータ８以外にも、その制御基板などがマウスピース７内に必要に応じて設けられればよい。
【００３０】
注目すべきは、本実施の形態のマウスピース７では、前記膨らみ部７ａ内には、円筒状の前記起振アクチュエータ８に対して、軸直角断面が小判型の長孔が前記収納空間７ｂとして形成されていることである。したがって、前記起振アクチュエータ８を内側ピース７Ａと外側ピース７Ｂとの間に形成される前記収納空間７ｂ内に封止するにあたって、その収納空間７ｂが前記起振アクチュエータ８よりも大きく形成され、該収納空間７ｂ内に前記起振アクチュエータ８を収納しても空隙が生じるようになる。これによって、前記起振アクチュエータ８は、収納空間７ｂ内で完全に固定されず、可動となり、振動に伴い、収納空間７ｂ内で遊びを生じることになる。これによって、起振アクチュエータ８が生成する振動荷重に、その起振アクチュエータ８自身が動き、前記収納空間７ｂを形成する壁面と衝突する際に発生する衝突荷重が加わり、マウスピース７を装着した使用者の歯列３により大きな振動を加えることができ、矯正効果をより一層高めることができる。
【００３１】
図５は、本件発明者の実験結果を示すグラフである。図５（ａ）は前記収納空間７ｂが起振アクチュエータ８と同じ大きさ、すなわち前記起振アクチュエータ８が固定されている場合に前記矯正対象歯３ｇ，３ｈに加わる振動の大きさを示し、図５（ｂ）は前記収納空間７ｂに遊びを有する場合の振動の大きさを示す。これらの図から、固定されている場合は、前記起振アクチュエータ８の偏心錘による２００Ｈｚ程度の規則正しい振動が３０ｇ程度の振動荷重で加わっているのが、遊びが有る場合は、不規則になるものの、振動荷重が最大で６０ｇ程度と、倍増していることが理解される。
【００３２】
そして、その小判の長径方向、すなわち前記収納空間７ｂにおける前記空隙（遊び）の方向は、矯正対象歯３ｇ，３ｈの矯正方向に適応した方向に延びて形成される。具体的には、手前に出ている歯を奥に引っ込める場合、および奥に引っ込んでいる歯を手前に引出す場合には、歯面に垂直な方向に空隙の方向を設定し、捻れている歯を整列させる場合には、図８で示すように、捻転させるべき歯（図８では３ｇ）において、捻転させるべき方向（図８では反時計回りのために向って右半分）で、略歯面に垂直な方向に空隙の方向を設定する。したがって、前記起振アクチュエータ８として、価格や、大きさといった面で指向性のある荷重を生成するものを内蔵できない場合においても、安価で小型な回転モータや振動モータなどで指向性のある荷重を歯列に付与することが可能となり、矯正効果を促進する十分な刺激を付与することができる。
【００３３】
図６は、上述のように構成されるマウスピース７の製造装置１１の斜視図である。この製造装置１１は、前記歯型１を搭載するステージ１２を有し、そのステージ１２に形成された多数の吸引孔１３から吸引を行うポンプなどを内蔵する本体１４と、前記本体１４上に立設される支柱１８によって昇降自在であり、ＥＶＡシート１５を挟み込む上下一対のシート固定具１６，１７と、前記支柱１８上に搭載される電熱器１９とを備えて構成される。
【００３４】
図７は、上述の製造装置１１を用いたマウスピース７の製造方法を説明するための図である。先ず、ステップＳ１で、歯科医院において使用者の歯列３に印象材を付着させて型取りを行い、ステップＳ２で、歯科技工所において、歯列形状を保持している印象材に石膏を流し込み、固形化した後に石膏を取出すことで、前記歯型１が完成する。ここで、使用者の歯列３にブラケット４やワイヤー５等の矯正具が取り付けられていると、マウスピース７を歯列３に装脱する際に、内側ピース７Ａが矯正具のエッジに引掛かり、該内側ピース７Ａが破損したり、ブラケット４が歯の表面より外れたりするおそれがある。このような不具合を防止するためには、前記歯型１のブラケット４の部分やワイヤー５の部分の隙間にワックス剤等を充填し、エッジを無くすようにすればよい。この方法によれば、使用者から印象を採取する際に、水で流せる無毒のワックス剤等をブラケット４やワイヤー５の隙間に予め充填しておく方法と比べて、使用者の負担が軽減する。
【００３５】
前記の歯型１は、ステップＳ３で、製造装置１１のステージ１２上に搭載される。一方、前記シート固定具１６，１７によって挟まれたＥＶＡシート１５は、前記シート固定具１６，１７が支柱１８上を上昇して電熱器１９近傍において加熱され、軟化すると前記シート固定具１６，１７が下降して前記歯型１上にＥＶＡシート１５が徐々に被せられてゆく。このとき、前記吸引孔１３から吸引が行われることで、その気流によって前記ＥＶＡシート１５が歯型１に密着する。このため、歯型１には、吸引用の切込み１ａが形成されており、正確に型取りを行えるようになっている。
【００３６】
またこのとき、電熱器１９も下降して連続して加熱を行うようにしてもよく、またＥＶＡシート１５の外側から全体を空気圧などで加圧して成形するようにしてもよい。こうして、加圧・吸引成形を行うことで、内側ピース７Ａが完成する。このステップＳ３までは、従来のマウスピースの製造方法と同じである。
【００３７】
ここで、ＥＶＡシート１５の厚みを変更することで、厚み（肉厚）の異なる内側ピース７Ａの製作が可能であり、肉厚の薄い内側ピース７Ａを使用すると、装着感が良くなるとともに、起振アクチュエータ８からの機械的振動の伝達特性が向上するようになる。また、歯３ａ〜３ｎ毎に内側ピース７Ａの厚みを変化させることにより、個々の歯３ａ〜３ｎに対する機械的振動の伝達特性を変化させることも可能である。
【００３８】
そして、ステップＳ３において、内側ピース７Ａを歯型１に嵌め合わせた状態で、ステップＳ４で、シリコン樹脂等を用いて新たな型取りを行い、完成したシリコン型に石膏を流し込み、固形化した後に石膏を取り出すことにより、ステップＳ５で、内側ピース石膏モデル１ｂが完成する。
【００３９】
ステップＳ６で、内側ピース石膏モデル１ｂに、外側ピース７Ｂの膨らみ部７ａとなるダミーの石膏モデル１ｃを、前記のように矯正方向に適応した方向で接着し、ダミー型とした後、加熱して軟化させたＥＶＡシート１５を内側ピース石膏モデル１ｂに当てがって吸引成形し、冷却した後にダミー型をＥＶＡシートから取り外すことにより、ステップＳ７で、外側ピース７Ｂが完成する。
【００４０】
その後、ステップＳ８で、膨らみ部７ａの収納空間７ｂ内に実際の起振アクチュエータ８を格納した外側ピース７Ｂの内側に、内側ピース７Ａを被せた状態で、内側ピース７Ａの外面と外側ピース７Ｂの内面とを超音波溶着や接着剤等で気密に接合して一体化することで、マウスピース７が完成する。マウスピース７の総厚みは、１〜６ｍｍ程度が好ましい。
【００４１】
ここで、内側ピース７Ａの外面と外側ピース７Ｂの内面との接合は、外側ピース７Ｂの起振アクチュエータ８を格納した膨らみ部７ａの周縁部だけの接合でも良いが、内側ピース７Ａと外側ピース７Ｂの外周縁が捲れ上がるのを防止するためには、内側ピース７Ａと外側ピース７Ｂの外周縁全体を気密に接合することが好ましく、マウスピース７の使用後に洗浄や保存するためにも好ましい。このようにして、上述のような膨らみ部７ａの収納空間７ｂ内に遊びを有する状態で起振アクチュエータ８を格納したマウスピース７を作製することができる。
【００４２】
上述の実施の形態では、外側ピース７Ｂを、その膨らみ部７ａの収納空間７ｂに規定の遊びを有するように成形したけれども、本発明の実施の他の形態として、前記起振アクチュエータ８を、前記の収納空間７ｂに対応した小判型の容器に収納し、その容器ごと前記収納空間７ｂに格納するようにしてもよい。その場合、内側ピース７Ａに起振アクチュエータ８内蔵の容器を直接取付け、その上からＥＶＡシート１５を被せて成形することで、内側ピース７Ａと外側ピース７Ｂとを一体化することができ、型取りが１回不要となって、極めて容易にマウスピース７を作製することができる。
【００４３】
本実施形態のマウスピース７は、ワイヤー５を取り付けた歯列３に装着することで、一定力＋振動力を付与するようにしたが、ワイヤー５を取り付けていない歯列３に装着するようにして、起振アクチュエータ８で振動力だけを付与することもできる。この場合、少なくとも内側ピース７Ａを硬質樹脂で成形して、矯正対象歯３ｇ，３ｈの部分に一定力（矯正力）を付与する形状とすればよい。このように構成すれば、歯列３にワイヤー５を取り付けなくても、矯正対象歯３ｇ，３ｈの部分に一定力＋振動力を付与できるので、実用的価値が高まるようになる。
【図面の簡単な説明】
【００４４】
【図１】本発明の実施の一形態に係るマウスピースを使用者の下顎に装着した状態を示す斜視図である。
【図２】使用者の下顎の歯型の斜視図である。
【図３】図１の切断面線III−IIIから見た断面図である。
【図４】内外二重に重ね合わせた構造のマウスピースを表側から見た分解斜視図である。
【図５】本件発明者の実験結果を示すグラフである。
【図６】マウスピースの製造装置の斜視図である。
【図７】図６で示す製造装置を用いた本発明の実施の一形態に係るマウスピースの製造方法を説明するための図である。
【図８】本発明の実施の一形態に係るマウスピースにおいて、図１とは矯正方法が異なる場合の例を示す斜視図である。
【符号の説明】
【００４５】
１    歯型
３    歯列
５    ワイヤー
７    マウスピース
７Ａ    内側ピース
７Ｂ    外側ピース
７ａ    膨らみ部
７ｂ    収納空間
８    起振アクチュエータ
９    給電線
１１    製造装置
１２    ステージ
１３    吸引孔
１４    本体
１５    ＥＶＡシート
１６，１７    シート固定具
１９    電熱器
２１    架台
【図１】
2008126009.tif 000003
【図２】
2008126009.tif 000004
【図３】
2008126009.tif 000005
【図４】
2008126009.tif 000006
【図５】
2008126009.tif 000007
【図６】
2008126009.tif 000008
【図７】
2008126009.tif 000009
【図８】
2008126009.tif 000010